(57)【特許請求の範囲】
【請求項１】
棒状で先端にヤットコが配設された間接活線工具に、着脱自在に取り付けられ、心線の外周に被覆が形成された電線の前記被覆を剥ぎ取るための電線被覆剥ぎ取り用間接活線先端工具であって、
前記ヤットコに着脱自在に装着される装着手段と、
前記ヤットコの開閉に連動して開閉し、前記ヤットコが全閉することで、前記電線の被覆のみを全周にわたって切断する被覆切断手段と、
前記ヤットコの開閉に連動して開閉し、前記ヤットコが全閉することで、前記被覆切断手段による切断位置から前記電線の自由端部までにおける前記被覆である剥ぎ取り対象被覆を把持する把持手段と、
前記被覆切断手段による切断位置から所定距離の位置に配設された位置決め手段と、を備え、
前記把持手段の内周面には、先が尖ったピン状の把持突起が複数設けられ、該把持突起の形状は、前記把持手段が全閉した状態で前記電線の被覆のみに食い込み心線には食い込まないように設定され、該把持突起の配設数は、前記把持手段で前記剥ぎ取り対象被覆を把持した状態で、前記ヤットコを前記電線の自由端部側に引っ張るように移動させることで前記剥ぎ取り対象被覆を除去できるように設定され、
前記電線の自由端部が前記位置決め手段に当接した状態で、前記被覆切断手段によって前記被覆が切断されるようになっている、
ことを特徴とする電線被覆剥ぎ取り用間接活線先端工具。
【請求項２】
前記ヤットコの開閉に連動して開閉し、前記ヤットコが全閉することで、前記被覆切断手段による切断位置から前記電線の自由端部までにおける前記被覆のみを、前記電線の軸線に沿って切断する第２の被覆切断手段を備える、
ことを特徴とする請求項１に記載の電線被覆剥ぎ取り用間接活線先端工具。
【請求項３】
心線の外周に被覆が形成された電線の前記被覆を剥ぎ取るための電線被覆剥ぎ取り用間接活線装置であって、
棒状で先端部がヤットコ状に開閉自在な本体と、前記先端部に配設された先端工具とを備え、
前記先端工具は、
前記先端部の開閉に連動して開閉し、前記先端部が全閉することで、前記電線の被覆のみを全周にわたって切断する被覆切断手段と、
前記先端部の開閉に連動して開閉し、前記先端部が全閉することで、前記被覆切断手段による切断位置から前記電線の自由端部までにおける前記被覆である剥ぎ取り対象被覆を把持する把持手段と、
前記被覆切断手段による切断位置から所定距離の位置に配設された位置決め手段と、を備え、
前記把持手段の内周面には、先が尖ったピン状の把持突起が複数設けられ、該把持突起の形状は、前記把持手段が全閉した状態で前記電線の被覆のみに食い込み心線には食い込まないように設定され、該把持突起の配設数は、前記把持手段で前記剥ぎ取り対象被覆を把持した状態で、前記本体を前記電線の自由端部側に引っ張るように移動させることで前記剥ぎ取り対象被覆を除去できるように設定され、
前記電線の自由端部が前記位置決め手段に当接した状態で、前記被覆切断手段によって前記被覆が切断されるようになっている、
ことを特徴とする電線被覆剥ぎ取り用間接活線装置。
【発明の詳細な説明】
【技術分野】
【０００１】
この発明は、間接活線工具の先端に取り付けられて電線の被覆を剥ぎ取るために使用される電線被覆剥ぎ取り用間接活線先端工具および、電線の被覆を剥ぎ取るために使用される電線被覆剥ぎ取り用間接活線装置に関する。
【背景技術】
【０００２】
近年、安全性をより確保するために、間接活線工具（ホットスティック・絶縁棒）を用いて通電状態のままで作業を行う間接活線工法が、多く採用されており、例えば、高圧引下用絶縁電線の被覆を剥ぎ取る際にも、間接活線工法が採られている。すなわち、まず、間接活線工具の先端に切断用の間接活線先端工具を取り付けて電線を切断し、次に、間接活線工具の先端に切込用の間接活線先端工具を取り付けて、電線の被覆に切込・スリットを形成する。
【０００３】
この切込用の間接活線先端工具は、中央部に電線を挿入するための貫通穴が設けられ、この貫通穴に電線を挿入した状態で、鉛筆削りのように間接活線先端工具を回転させることで、電線被覆の全周に沿って切込を形成するものである（例えば、特許文献１参照。）。続いて、切込から先の電線被覆を間接活線工具の先端のヤットコで把持し、ヤットコを横に引っ張って電線被覆を除去していた。
【先行技術文献】
【特許文献】
【０００４】
【特許文献１】特許第３３９８２６９号公報
【発明の概要】
【発明が解決しようとする課題】
【０００５】
このように、従来は、電線の被覆への切込形成と被覆の除去（皮むき）とを、２工程で別の間接活線先端工具を用いて行っていたため、作業に多大な労力と時間とを要していた。殊に、被覆に切込を形成する際には、切込用の間接活線先端工具の貫通穴に電線を挿入して、間接活線先端工具を回転させるという複雑な作業を、間接活線工具を用いて遠隔で行わなければならない。しかも、高圧引下用絶縁電線などは柔らかく癖（曲がり）がつきやすいため、癖を除去して真っ直ぐな状態にしてから、切込用の間接活線先端工具の貫通穴に挿入しなければならず、作業には高度な熟練を要し、しかも、多大な労力と時間とを要していた。
【０００６】
そこでこの発明は、電線の被覆の剥ぎ取りを容易かつ迅速に行うことが可能な、電線被覆剥ぎ取り用間接活線先端工具および電線被覆剥ぎ取り用間接活線装置を提供することを目的とする。
【課題を解決するための手段】
【０００７】
上記課題を解決するために、請求項１の発明は、棒状で先端にヤットコが配設された間接活線工具に、着脱自在に取り付けられ、心線の外周に被覆が形成された電線の前記被覆を剥ぎ取るための電線被覆剥ぎ取り用間接活線先端工具であって、前記ヤットコに着脱自在に装着される装着手段と、前記ヤットコの開閉に連動して開閉し、前記ヤットコが全閉することで、前記電線の被覆のみを全周にわたって切断する被覆切断手段と、前記ヤットコの開閉に連動して開閉し、前記ヤットコが全閉することで、前記被覆切断手段による切断位置から前記電線の自由端部までにおける前記被覆である剥ぎ取り対象被覆を把持する把持手段と、前記被覆切断手段による切断位置から所定距離の位置に配設された位置決め手段と、を備え、前記把持手段の内周面には、先が尖ったピン状の把持突起が複数設けられ、該把持突起の形状は、前記把持手段が全閉した状態で前記電線の被覆のみに食い込み心線には食い込まないように設定され、該把持突起の配設数は、前記把持手段で前記剥ぎ取り対象被覆を把持した状態で、前記ヤットコを前記電線の自由端部側に引っ張るように移動させることで前記剥ぎ取り対象被覆を除去できるように設定され、前記電線の自由端部が前記位置決め手段に当接した状態で、前記被覆切断手段によって前記被覆が切断されるようになっている、ことを特徴とする。
【０００８】
この発明によれば、装着手段を間接活線工具のヤットコに装着し、被覆切断手段と把持手段とを開いて電線に沿わせる。そして、ヤットコを閉じると、被覆切断手段と把持手段とが閉じていき、全閉することで、被覆切断手段によって電線の被覆のみが全周にわたって切断されると同時に、切断位置から自由端部までにおける被覆（剥ぎ取り対象被覆）が把持手段によって把持される。この状態で、間接活線工具のヤットコつまり間接活線先端工具を電線の自由端部側に移動させて（引っ張って）、剥ぎ取り対象被覆を除去する。
【０００９】
請求項２の発明は、請求項１に記載の電線被覆剥ぎ取り用間接活線先端工具において、前記ヤットコの開閉に連動して開閉し、前記ヤットコが全閉することで、前記被覆切断手段による切断位置から前記電線の自由端部までにおける前記被覆のみを、前記電線の軸線に沿って切断する第２の被覆切断手段を備える、ことを特徴とする。
【００１０】
この発明によれば、ヤットコを全閉すると、第２の被覆切断手段によって、剥ぎ取り対象被覆が電線の軸線に沿って切断される。
【００１２】
また、請求項１の発明によれば、電線の自由端部を位置決め手段に当接させた状態でヤットコを全閉すると、位置決め手段つまり電線の自由端部から所定距離の位置において、被覆が全周にわたって切断される。すなわち、被覆が剥ぎ取られる長さが常に一定となる。
【００１３】
請求項３の発明は、心線の外周に被覆が形成された電線の前記被覆を剥ぎ取るための電線被覆剥ぎ取り用間接活線装置であって、棒状で先端部がヤットコ状に開閉自在な本体と、前記先端部に配設された先端工具とを備え、前記先端工具は、前記先端部の開閉に連動して開閉し、前記先端部が全閉することで、前記電線の被覆のみを全周にわたって切断する被覆切断手段と、前記先端部の開閉に連動して開閉し、前記先端部が全閉することで、前記被覆切断手段による切断位置から前記電線の自由端部までにおける前記被覆である剥ぎ取り対象被覆を把持する把持手段と、前記被覆切断手段による切断位置から所定距離の位置に配設された位置決め手段と、を備え、前記把持手段の内周面には、先が尖ったピン状の把持突起が複数設けられ、該把持突起の形状は、前記把持手段が全閉した状態で前記電線の被覆のみに食い込み心線には食い込まないように設定され、該把持突起の配設数は、前記把持手段で前記剥ぎ取り対象被覆を把持した状態で、前記本体を前記電線の自由端部側に引っ張るように移動させることで前記剥ぎ取り対象被覆を除去できるように設定され、前記電線の自由端部が前記位置決め手段に当接した状態で、前記被覆切断手段によって前記被覆が切断されるようになっている、ことを特徴とする。
【００１４】
この発明によれば、先端工具の被覆切断手段と把持手段とを開いて電線に沿わせ、本体の先端部を全閉することで、被覆切断手段によって電線の被覆のみが全周にわたって切断されると同時に、切断位置から自由端部までにおける被覆（剥ぎ取り対象被覆）が把持手段によって把持される。この状態で、本体の先端部つまり先端工具を電線の自由端部側に移動させて（引っ張って）、剥ぎ取り対象被覆を除去する。
【発明の効果】
【００１５】
請求項１および３の発明によれば、間接活線先端工具を取り替えたり取り外したりすることなく、１つの間接活線先端工具のみで、電線被覆の切断とその除去とが行え、しかも、被覆の切断後に連続的に被覆の除去が行えるため、電線の被覆の剥ぎ取りを容易かつ迅速に行うことができる。しかも、電線に対してヤットコ・先端部を閉じて移動させるだけでよいため、従来のように貫通穴に電線を挿入して間接活線先端工具を回転させる、という複雑な操作に比べて、作業性が向上し、熟練を要しなくても、容易かつ迅速に行うことができるとともに、その結果、作業の安全性が向上する。
【００１６】
請求項２の発明によれば、剥ぎ取り対象被覆が電線の軸線に沿って切断されるため、被覆が電線から剥離しやすくなり、ヤットコ・先端部を移動させて剥ぎ取り対象被覆を除去する作業を、より容易かつ迅速に行うことができる。
【００１７】
また、請求項１、３の発明によれば、電線の自由端部を位置決め手段に当接させることで、被覆が剥ぎ取られる長さが常に一定となるため、作業員によるバラツキなどが生ぜず、また、測定尺などを用いる必要もない。この結果、施工品質が向上するとともに、作業性がより向上する。
【図面の簡単な説明】
【００１８】
【図１】この発明の実施の形態に係る電線被覆剥ぎ取り用間接活線先端工具を示す正面図である。
【図２】図１の間接活線先端工具の右側面図である。
【図３】この発明の実施の形態における間接活線工具を示す正面図である。
【図４】図１の間接活線先端工具の被覆切断部の正面図である。
【図５】図４の被覆切断部が閉じた状態を示す正面図（ａ）とその右側面図（ｂ）である。
【図６】図２における左側の把持部の内面を示す正面図（ａ）とその左側面図（ｂ）である。
【図７】図２における右側の把持部の内面を示す正面図（ａ）とその右側面図（ｂ）である。
【図８】図１の間接活線先端工具による電線の被覆剥ぎ取り手順を示す図であり、（ａ）は、間接活線先端工具を電線にセットした状態を示す図であり、（ｂ）は、間接活線先端工具を閉じる状態を示す図であり、（ｃ）は、間接活線先端工具を移動させる状態を示す図であり、（ｄ）は、被覆材を取り除いた状態を示す図である。
【発明を実施するための形態】
【００１９】
以下、この発明を図示の実施の形態に基づいて説明する。
【００２０】
図１〜図８は、この発明の実施の形態を示し、図１、２はそれぞれ、この発明の実施の形態に係る電線被覆剥ぎ取り用間接活線先端工具（先端工具、以下適宜「本間接活線先端工具」という）１を示す正面図と右側面図である。本間接活線先端工具１は、図３に示す間接活線工具１００のヤットコ（先端部）１２０に着脱自在に取り付けられ、電線２００の被覆材（被覆）２０２を剥ぎ取るための工具である。ここで、電線２００は、図８に示すように、心線２０１（銅線）の外周に被覆材２０２が形成・被覆されたものであり、例えば、高圧引下用絶縁電線などが挙げられる。
【００２１】
また、間接活線工具１００は、通電状態のままで作業を行う間接活線工法で用いられる工具、つまり、電線２００や電気機器などに作業者が直接接することなく作業を行うための工具であり、次のような構成となっている。
【００２２】
すなわち、図３に示すように、棒状で先端にヤットコ１２０が配設された工具であり、把持工具本体１１０と、ヤットコ１２０とを有している。把持工具本体１１０は絶縁性の棒体で、上端部には、金属製の支持具１１１が取付けられている。この支持具１１１の上部には、ヤットコ１２０を構成する可動アーム１１２、１１３が支持ピン（図示せず）を介して揺動可能に支持され、この可動アーム１１２、１１３は、操作ロッド１１４の上端部に連結されている。
【００２３】
一方、把持工具本体１１０には、レバー１１５が揺動可能に支持され、このレバー１１５の上端部には、操作ロッド１１４の下端部がピン連結されている。そして、レバー１１５を矢印Ｆ１方向に操作することによって、第１の可動アーム１１２および第２の可動アーム１１３（ヤットコ１２０）が、矢印Ｆ２方向に互いに開閉・回動するものである。
【００２４】
このような間接活線工具１００が本体となり、この本体の先端部であるヤットコ１２０に次のような本間接活線先端工具１が配設されることで、電線被覆剥ぎ取り用間接活線装置（以下適宜「本装置」という）が構成される。
【００２５】
本間接活線先端工具１は、主として、従動体２と、装着体（装着手段）３と、被覆切断部（被覆切断手段）４と、把持部（把持手段）５と、位置決め部６とを備えている。
【００２６】
従動体２は、図２に示すように、棒状の第１の従動棒２１と第２の従動棒２２とが、第１の回転軸２３を軸にしてハサミのように開閉・回動するように連結されている。そして、後述するようにして装着・連結されたヤットコ１２０が開閉することで、従動棒２１、２２の下端部（一端部）および上端部（他端部）が開閉するようになっている。
【００２７】
装着体３は、本間接活線先端工具１をヤットコ１２０に着脱自在に装着するためのものであり、装着筒３１とツマミ３２とを備え、従動体２の両従動棒２１、２２の下端部に回動自在に配設されている。装着筒３１は、少なくとも下面が開放・開口された筒体で、下方からヤットコ１２０の可動アーム１１２、１１３の先端部を挿入できるようになっている。また、この装着筒３１は、第１の回転軸２３と並行な第２の回転軸３３を軸にして、回動自在に従動棒２１、２２に配設されている。ツマミ３２は、装着筒３１の側面に螺合されたネジで、このツマミ３２を締め付けることで、可動アーム１１２、１１３の先端部が装着筒３１に固定され、ツマミ３２を緩めることで、可動アーム１１２、１１３の先端部が装着筒３１から取り外せるようになっている。
【００２８】
被覆切断部４は、ヤットコ１２０の開閉に連動して開閉し、ヤットコ１２０が全閉することで電線２００の被覆材２０２のみを全周にわたって切断するものである。すなわち、この実施の形態では、従動体２の従動棒２１、２２の上端部が被覆切断部４、４として形成され、上記のようにしてヤットコ１２０が開閉して従動棒２１、２２の下端部が開閉することで、この開閉に連動して被覆切断部４、４が開閉する。この被覆切断部４、４は、互いに対象な形状で、図４に示すように、内形状４ａが半円弧状のカギ形（フック形）で、内形部に半円弧状の半円刃４１が、第１の小ネジ４２によって着脱自在に取り付けられている。
【００２９】
このような被覆切断部４、４がほぼ全開した状態では、図１、２に示すように、電線２００を挿入することができ、全閉した状態では、図５に示すように、半円刃４１、４１が円状につながって被覆材２０２のみが全周にわたって切断され（全周に延びる切込・切れ目が形成され）、心線２０１は切断されないように、半円刃４１、４１の形状、大きさが設定されている。
【００３０】
把持部５は、ヤットコ１２０の開閉に連動して開閉し、ヤットコ１２０が全閉することで、図５に示すように、被覆切断部４による切断位置Ｐ１から電線２００の自由端部Ｐ２までにおける被覆（剥ぎ取り対象被覆２０２Ａ）を把持するものである。すなわち、図６、７に示すように、垂直断面形状が半円弧で、水平方向に延びる半円筒形となっており、図５に示すように、把持部５の外縁が被覆切断部４の外縁に沿うように、一端部が被覆切断部４に接続されている。これにより、被覆切断部４、４の開閉、つまりヤットコ１２０の開閉に伴って把持部５が開閉するようになっている。ここで、被覆切断部４と把持部５とを一体的に形成してもよい。
【００３１】
また、把持部５の内周面には、先が尖ったピン状の把持突起５１が複数設けられている。この把持突起５１の形状、大きさは、把持部５がほぼ全開した状態では、電線２００を挿入することができ、全閉した状態では、把持突起５１が被覆材２０２のみに食い込み、心線２０１は食い込まないように設定されている。また、把持突起５１の配設数は、把持部５で剥ぎ取り対象被覆２０２Ａを把持した状態で、後述するように剥ぎ取り対象被覆２０２Ａを容易に除去できるように（強固に把持できるように）設定されている。
【００３２】
また、図２における右側の把持部５の内面には、図７に示すように、側刃（第２の被覆切断手段）７が着脱自在に取り付けられている。この側刃７は、ヤットコ１２０の開閉に連動して開閉し、ヤットコ１２０が全閉することで、剥ぎ取り対象被覆２０２Ａのみを電線２００の軸線に沿って切断するものである。具体的には、側刃７は、横長の平板状の刃で、下方の長辺である底部に複数のネジ孔７ａが形成されている。一方、把持部５の中央部には、軸線に沿って複数の第２の小ネジ７１が配設され、第２の小ネジ７１をネジ孔７ａに螺合させることで、側刃７の刃先７ｂが把持部５の軸線に沿うように、側刃７が把持部５に取り付けられている。
【００３３】
そして、把持部５の開閉に伴って開閉し、把持部５がほぼ全開した状態では、電線２００を挿入することができ、全閉した状態では、剥ぎ取り対象被覆２０２Ａのみがその軸線に沿って切断され、心線２０１は切断されないように、側刃７の形状、大きさが設定されている。また、剥ぎ取り対象被覆２０２Ａが全長にわたって切断されるように、側刃７の長さが設定されている。
【００３４】
位置決め部６は、被覆切断部４による切断位置Ｐ１から所定距離の位置に配設された位置決め板（位置決め手段）６２を備え、電線２００の自由端部Ｐ２から切断位置Ｐ１までの長さ、つまり剥ぎ取り対象被覆２０２Ａの長さを規定するものである。すなわち、指示棒６１と位置決め板６２とを備え、指示棒６１は、棒状で一端部が従動体２の第１の回転軸２３と同軸に接続され、把持部５に沿って延びている。ここで、指示棒６１と第１の回転軸２３とを一体で構成してもよい。
【００３５】
この指示棒６１の他端部に、円板状の位置決め板６２の下部が接続され、図１、２に示すように、被覆切断部４、４を全開した状態で、位置決め板６２が被覆切断部４、４の開口に対向するように位置決め板６２が配設されている。そして、被覆切断部４、４を全開して電線２００を挿入し、電線２００の自由端部Ｐ２を位置決め板６２に当接させる。このようにして位置決めした状態で被覆切断部４、４を閉じると、半円刃４１、４１によって被覆材２０２が切断されるものである。つまり、電線２００の自由端部Ｐ２から所定の長さで、被覆材２０２が切断される。ここで、所定の長さ、つまり指示棒６１の長さは、剥ぎ取り対象被覆２０２Ａを剥ぎ取った際に露出する心線２０１が、所定長得られるように設定されている。
【００３６】
次に、このような構成の本間接活線先端工具１および本装置による電線２００の被覆剥ぎ取り（皮むき）手順や作用などについて、図８に基づいて説明する。ここで、説明の便宜上、図８においては、本間接活線先端工具１および本装置を模式的に図示する。
【００３７】
まず、図８（ａ）に示すように、本間接活線先端工具１を電線２００にセットする。すなわち、上記のようにして装着体３を間接活線工具１００のヤットコ１２０に装着し、ヤットコ１２０を回動させて、被覆切断部４、４をほぼ全開にする。この状態で、被覆切断部４、４間および把持部５、５間に電線２００を挿入し（沿わせるようにあてがい）、電線２００の自由端部Ｐ２を位置決め板６２に当接させる。
【００３８】
次に、図８（ｂ）に示すように、間接活線工具１００のヤットコ１２０を回動させて、被覆切断部４、４、把持部５、５および側刃７を閉じていく。そして、被覆切断部４、４、把持部５、５および側刃７を全閉させると、被覆切断部４、４の半円刃４１、４１によって、切断位置Ｐ１で電線２００の被覆材２０２に全周に延びる切込が形成される。と同時に、この切断位置Ｐ１から自由端部Ｐ２までの剥ぎ取り対象被覆２０２Ａに、軸線に沿った切込が形成される。さらに、把持部５の各把持突起５１が剥ぎ取り対象被覆２０２Ａに食い込み、剥ぎ取り対象被覆２０２Ａが把持部５で把持される。
【００３９】
次に、この把持状態のままで、図８（ｃ）に示すように、本間接活線先端工具１つまりヤットコ１２０を電線２００の自由端部Ｐ２側に引っ張るように移動させて、図８（ｄ）に示すように、剥ぎ取り対象被覆２０２Ａを除去する。このようにして、剥ぎ取り対象被覆２０２Ａの剥ぎ取り作業を行うものである。
【００４０】
以上のように、本間接活線先端工具１および本装置によれば、間接活線先端工具を取り替えたり取り外したりすることなく、１つの本間接活線先端工具１のみで、被覆材２０２の切断とその除去とが行え、しかも、被覆材２０２の切断後にそのまま連続的に被覆材２０２の除去が行えるため、被覆材２０２の剥ぎ取りを容易かつ迅速に行うことができる。しかも、電線２００に対してヤットコ１２０を閉じて移動させるだけでよいため、従来のように貫通穴に電線２００を挿入して間接活線先端工具を回転させる、という複雑な操作に比べて、作業性が向上し、熟練を要しなくても、容易かつ迅速に行うことができるとともに、その結果、作業の安全性が向上する。
【００４１】
特に、電線２００が柔らかく癖が付きやすい（曲がりやすい）場合であっても、電線２００を貫通穴に挿入する必要がなく、電線２００を被覆切断部４、４と把持部５、５とで挟むようにすればよいため、作業が極めて容易で、迅速に行うことができる。また、従来の鉛筆削りのように刃を回転させないため、電線２００が曲がっていても半円刃４１が折れることがない。
【００４２】
一方、側刃７によって剥ぎ取り対象被覆２０２Ａがその軸線に沿って切断されるため、剥ぎ取り対象被覆２０２Ａが電線２００・心線２０１から剥離しやすくなる。このため、ヤットコ１２０を移動させて剥ぎ取り対象被覆２０２Ａを除去する作業を、より容易かつ迅速に行うことができる。さらに、電線２００の自由端部Ｐ２を位置決め板６２に当接させることで、被覆材２０２が剥ぎ取られる長さが常に一定となるため、作業員によるバラツキなどが生ぜず、また、測定尺などを用いる必要もない。
【００４３】
そして、これらの結果、作業性や安全性が向上するとともに、施工品質が向上する。
【００４４】
また、半円刃４１や側刃７が着脱自在なため、刃が欠けたり摩耗したりした場合に、容易かつ迅速に交換することができる。
【００４５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、指示棒６１の長さを固定、つまり、被覆材２０２を剥ぎ取る長さを固定にしているが、長さを調整できるようにしてもよい。例えば、指示棒６１の位置決め板６２側の端部にネジ部を形成し、位置決め板６２に挿入孔を形成して、挿入孔にネジ部を挿入して位置決め板６２の位置を調整する。そして、位置決め板６２を挟むように２つのナットを指示棒６１のネジ部に締め付けることで、位置決め板６２の位置を調整できるようにしてもよい。
【００４６】
さらに、位置決め板６２を大きな円板として、この位置決め板６２の中心部に指示棒６１の他端部を接続し、指示棒６１（第１の回転軸２３）が回転しても、つまり被覆切断部４による切断中も、電線２００の自由端部Ｐ２が常に位置決め板６２に当接するようにしてもよい。また、本体である間接活線工具１００のヤットコ１２０に本間接活線先端工具１が着脱自在に配設されて、電線被覆剥ぎ取り用間接活線装置が構成されているが、間接活線工具１００と本間接活線先端工具１とを一体にして電線被覆剥ぎ取り用間接活線装置を構成してもよい。
【００４７】
一方、従動体２を被覆切断部４側に設けているが、把持部５側に従動体２を設けてもよい。さらには、位置決め部６に代えて、ヤットコ１２０の開閉に連動して開閉する電線切断部を設け、この電線切断部による電線２００の切断と被覆切断部４による被覆材２０２の切断とを同時に行うようにしてもよい。
【符号の説明】
【００４８】
１        電線被覆剥ぎ取り用間接活線先端工具（先端工具）
２        従動体
２１      第１の従動棒
２２      第２の従動棒
２３      第１の回転軸
３        装着体（装着手段）
４        被覆切断部（被覆切断手段）
４１      半円刃
５        把持部（把持手段）
５１      把持突起
６        位置決め部
６１      指示棒
６２      位置決め板（位置決め手段）
７        側刃（第２の被覆切断手段）
１００    間接活線工具（本体）
１１０    把持工具本体
１２０    ヤットコ（先端部）
２００    電線
２０１    心線
２０２    被覆材（被覆）
２０２Ａ  剥ぎ取り対象被覆
Ｐ１      切断位置
Ｐ２      電線の自由端部
【図１】
0005529244.tif 000002
【図２】
0005529244.tif 000003
【図３】
0005529244.tif 000004
【図４】
0005529244.tif 000005
【図５】
0005529244.tif 000006
【図６】
0005529244.tif 000007
【図７】
0005529244.tif 000008
【図８】
0005529244.tif 000009